(57)【特許請求の範囲】
【請求項１】
シリカゲル、塩化カルシウム、ゼオライト、生石灰、酸化アルミニウム、硫酸マグネシウム、焼き明礬の中から選ばれる１種成分、或いは混合成分からなる乾燥剤を、重量比で５％以上、７０％以下の混合比で、ポリオレフィン樹脂に練り込んだ混合樹脂からなる円筒状容器に、検査薬が含まれる試験紙が装填されているチップを収めた検査用チップ収納体が、シリカゲル、塩化カルシウム、ゼオライト、生石灰、酸化アルミニウム、硫酸マグネシウム、焼き明礬の中から選ばれる、１種の、或いは、２種以上を混合した、成分からなる乾燥剤を、重量比で５％以上、７０％以下になるように、ポリオレフィン樹脂に錬り込んだ混合樹脂を含む層を積層し円筒形状に成型された包装材料に密着して包装されていることを特徴とするチップ収納体包装体。
【請求項２】
請求項１記載の検査用チップ収納体が、水蒸気透過度が０．１ｇ／ｍ２／ｄａｙ以下の包装材料で包装されていることを特徴とするチップ収納体包装体。
【請求項３】
前記包装材料の層構成として最内層に乾燥剤が練り込まれた層がないことを特徴とする請求項１または２記載のチップ収納体包装体。
【請求項４】
前記乾燥剤が練り込まれた層が、３層以上の共押しフィルムの中間層であることを特徴とする請求項３記載のチップ収納体包装体。
【発明の詳細な説明】
【技術分野】
【０００１】
本発明は、検査用チップ収納体とその包装体に関するものである。
【背景技術】
【０００２】
近年、ノロウイルス、性病、インフルエンザ、糖尿病、ピロリ菌、各種アレルギー、血糖値などの疾病に対する人体の状態を、簡易的に検査する医療用の検査キットが使用されるようになってきている。
【０００３】
各種疾病の状態を確認する検査キットは、繰り返し、何回も検査する必要性から１回の使用で使い捨てする検査薬を含む試験紙が装填されているチップと、繰り返し測定できる検査機本体を分離することでコストを下げることが求められている。
【０００４】
一方、使用時に手で触れることで、汗、汚れ、水分などにより、チップや或いは試験紙が汚染され、検査精度に影響を及ぼす恐れがあり、直接チップを振れない包装材料が求められている。
【０００５】
更に、薬剤の水分による分解、反応などによる劣化が生じて起きる、検査精度のバラツキをなくすため、チップに使用される包装材料には防湿性が求められることが多い。
【０００６】
チップに装填されている試験紙が剥き出しになっていると、使用状況によっては手で触れてしまう恐れがある。また、防湿目的でアルミ包材を外装として使用し、乾燥剤をチップとともに同封し密封することで、吸湿の影響をなくすことができるが、この場合は、包装後に乾燥剤が同封されたか否かの確認ができない問題がある。
【０００７】
検査薬が含まれる試験紙はチップ内部に装填し、更にチップと乾燥剤をカップ成型物に装填しているため、直接手で触れることがない。但し、カップ成型物内部には乾燥剤を同封し密封しているため、包装後に乾燥剤が同封されたかの確認ができない問題があるとともに、カップ自体の防湿性は高いものの、長時間のうちに徐々に吸湿するため、製造から使用までの試用期間に制約が出てしまう問題がある。
【０００８】
公知文献を以下に示す。
【先行技術文献】
【特許文献】
【０００９】
【特許文献１】特開２００２−１０４５１４号公報
【発明の概要】
【発明が解決しようとする課題】
【００１０】
検査時に、手が試験紙を内蔵する成分測定用容器（以下、単に「チップ」と言う）に触れることがなく、また、長期間保存しても、チップ内に収納された試験紙が、吸湿などにより劣化しない、チップ収納体包装体を提供することを目的とする。
【課題を解決するための手段】
【００１１】
本発明は係る課題に鑑みなされたものであり、請求項１の発明は、シリカゲル、塩化カルシウム、ゼオライト、生石灰、酸化アルミニウム、硫酸マグネシウム、焼き明礬の中から選ばれる１種成分、或いは混合成分からなる乾燥剤を、重量比で５％以上、７０％以下の混合比で、ポリオレフィン樹脂に練り込んだ混合樹脂からなる円筒状容器に、検査薬が含まれる試験紙が装填されているチップを収めた検査用チップ収納体が、シリカゲル、塩化カルシウム、ゼオライト、生石灰、酸化アルミニウム、硫酸マグネシウム、焼き明礬の中から選ばれる、１種の、或いは、２種以上を混合した、成分からなる乾燥剤を、重量比で５％以上、７０％以下になるように、ポリオレフィン樹脂に錬り込んだ混合樹脂を含む
層を積層し円筒形状に成型された包装材料に密着して包装されていることを特徴とするチップ収納体包装体である。
【００１２】
本発明の検査用チップ収納体は、ポリオレフィン樹脂からなる円筒状容器に、検査薬が含まれる試験紙が装填されているチップを収められているので、チップを手で触れることがなく、チップや試験紙を汚染することがない。
【００１４】
本発明はさらに、上記のような、混合樹脂で円筒状容器ができているので、これを更に包装して、保管しても、外気からの吸湿により、試験紙が劣化することがない。
また、円筒形状のチップ収納体を、円筒形状に成型した包装材料で包装しているので、固定されていて、輸送などで、ゆれてもずれることが無く、破損する恐れがない。
また、上記のような、混合樹脂を含む層を積層した包装材料で包装されているので、これを保管しても、外気からの吸湿により、試験紙が劣化することがない。
【００１５】
本発明の請求項２の発明は、請求項１記載の検査用チップ収納体が、水蒸気透過度が０．１ｇ／ｍ２／ｄａｙ以下の包装材料で包装されていることを特徴とするチップ収納体包装体である。
【００１６】
本発明は、検査用チップ収納体を、水蒸気透過度が０．１ｇ／ｍ２／ｄａｙ以下の包装材料で包装しているチップ収納体包装体であるので、保管しても、外気からの吸湿により、試験紙が劣化することがない。
【００１７】
本発明の請求項３の発明は、前記包装材料の層構成として最内層に乾燥剤が練り込まれた層がないことを特徴とする請求項１または２記載のチップ収納体包装体である。
【００１８】
本発明のチップ収納体包装体は、層構成としては、加工性、衛生性の点から最内層に乾燥剤が練り込まれた層がないことが好ましい。
【００１９】
本発明の請求項３の発明は、前記乾燥剤が練り込まれた層が、３層以上の共押しフィルムの中間層であることを特徴とする請求項１または２記載のチップ収納体包装体である。
【００２０】
本発明はさらに、３層以上の共押しフィルムの中間層に設定することが好ましい。
【発明の効果】
【００２１】
本発明の検査用チップ収納体は、ポリオレフィン樹脂からなる円筒（チューブ）形状の容器内に、検査薬が含まれる試験紙を装填されているチップを収められているので、チップを手で触れることがなくなる。
【００２２】
また、本発明のチップ収納体包装体は、円筒状容器、または外装、或いはその両方に乾燥剤を錬り込んだ樹脂を使用することで、吸湿による試験紙の性能劣化をなくすことができるとともに、乾燥剤を使用している場合の乾燥剤装填ミスの心配がない。また、包装材料を成形することで、輸送などで、ゆれてもずれることが無く、破損する恐れがない。
【図面の簡単な説明】
【００２３】
【図１】本発明の検査用チップ収納体の一例の説明図である。
【図２】本発明の検査用チップ収納体が収納されたチップ収納体包装体の一例を説明する平面図である。
【図３】本発明の検査用チップ収納体が収納されたチップ収納体包装体の一例を説明する正面図である。
【発明を実施するための形態】
【００２４】
以下本発明を実施するための形態につき説明する。
図１は、本発明の検査用チップ収納体の一例の説明図、図２は、本発明の検査用チップ収納体が収納されたチップ収納体包装体の一例を説明する平面図、図３は、本発明の検査用チップ収納体が収納されたチップ収納体包装体の一例を説明する正面図である。
【００２５】
検査用チップ収納体１には、検査薬が含まれる試験紙（図示せず）が装填されている容器（チップ）２が円筒状容器３に収められている。そして、検査用チップ収納体１は、包装材料４に包まれている。すなわち、チップ２が収められた円筒状容器３が、包装材料４に包まれていて、一体となって、チップ収納体包装体５となっている。
【００２６】
包装材料４は、図３のように、上下２枚の包装材料４が一体となって、円筒形状になるように成型されていて、円筒状容器３が略密着して包装されている。
【００２７】
検査用チップ収納体１に用いられる、円筒状容器３を成型するポリオレフィン樹脂としては、低密度ポリエチレン、中密度ポリエチレン、高密度ポリエチレン、エチレン−αオレフィン共重合体、ポリプロピレン、プロピレン−エチレンランダム共重合体、プロピレン−エチレンブロック共重合体、プロピレン−αオレフィン共重合体、シクロペンタジエンやノルボルネンなどの環状オレフィンを共重合させた、エチレン−環状オレフィン共重合体、エチレン−酢酸ビニル共重合体あるいはその部分または完全けん化物、エチレン−（メタ）アクリル酸共重合体あるいはこのエステル化物、あるいはイオン架橋物、エチレン−（メタ）アクリル酸−（メタ）アクリル酸エステル三元共重合体などから選定することが可能である。
【００２８】
また、これらポリオレフィン樹脂の２種以上のブレンド物でも構わない。これらのポリオレフィン樹脂には、さらに各種添加剤、例えば酸化防止剤、難燃剤、スリップ剤、アンチブロッキング剤、分散剤、光安定剤など各種添加剤を配合してもかまわない。
【００２９】
また、円筒状容器３に水分吸収機能を付与するため、ポリオレフィン樹脂に無機化合物からなる乾燥剤を練り込んだ混合樹脂で円筒状容器３を成型することで実現する。この無機化合物を配合した混合樹脂の製造方法としては、目的に応じた水分吸収性能を有する無機化合物を５〜７０ｗｔ％、ポリオレフィン樹脂３０〜９５ｗｔ％になるように調整した材料をリボンミキサー、タンブラーミキサー、ヘンシェルミキサーなどを用いてドライブレンドし、単軸押出機、二軸押出機などの押出機、バンバリーなどの混練機を用いて、融点以上２８０℃以下、好ましくは２６０℃以下で混練することで得られる。
【００３０】
無機化合物からなる乾燥剤としては水分を吸収する能力を有するシリカゲル、塩化カルシウム、ゼオライト、生石灰、酸化アルミニウム、硫酸マグネシウム、焼き明礬などだが、好ましくは、吸収能力や吸収速度などの加工性から生石灰が良い。
【００３１】
乾燥剤とポリオレフィン樹脂を配合した混合樹脂には、分散剤としてポリオレフィン系ワックスなど、乾燥剤の表面処理剤として脂肪酸として分岐脂肪酸、環状脂肪酸、ヒドロキシル脂肪酸など、任意で添加剤を使用することができる。
【００３２】
本発明に用いる円筒状容器３は中空のチューブ容器でも、底があるカップ容器でもかま
わない。円筒状容器３は、その容器内部にチップ２が装填できることが重要であり、また加工、流通、使用時において変形などの問題がないように、適宜、厚み内径、外径、長さを設定すれば良い。更には水分吸収能力を要望する場合には、目的とする吸収能力に満たすように乾燥材料を、或いは、厚みを設定すればよい。
【００３３】
円筒状容器３の製造方法としては、目的とする形状、厚みよって、射出成形、異型押出成形、真空・圧空成形、プレス成型などの各種成形法により得ることができる。
【００３４】
検査用チップ収納体１の外装材として使用する包装材料４は、目的とする防湿性能に合わせて、高分子樹脂フィルム、アルミニウム箔、アルミニウム蒸着フィルム、無機酸化物蒸着フィルムなどを積層したものから適宜選定できるが、防湿性、成型性などからアルミニウム箔を積層することが好ましい。
【００３５】
その場合、アルミニウム箔の外層に２軸延伸ポリエチレンテレフタレート（ＰＥＴ）、２軸延伸ポリプロピレン（ＯＰＰ）、２軸延伸ナイロン（Ｎｙ）などの基材フィルムを、接着剤を介して貼り合せてもかまわない。
【００３６】
また、ヒートシール性を付与するために、未延伸ポリプロピレン（ＣＰＰ）、あるいは、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）などの未延伸のポリエチレン（ＰＥ）等のポリオレフィンフィルムをシーラントフィルムとして接着剤を介して貼り合せるたり、或いは押出しラミネートにて貼り合せるなどしてもかまわない。同じくヒートシール性を付与するために、ホットメルト樹脂や各種ヒートシール性ラッカー剤を塗布してもかまわない。
【００３７】
包装材料４に水分吸収機能を付与するために、シーラントフィルムとして乾燥剤を配合したポリオレフィンフィルムを貼り合せる。この場合、ポリオレフィン樹脂に無機化合物からなる乾燥剤を練り込んだ樹脂をフィルム化することで実現できる。
【００３８】
水分吸収機能を有する無機化合物を配合した樹脂の製造方法としては、目的に応じた水分吸収性能を有する無機化合物を５〜７０ｗｔ％、熱可塑性樹脂３０〜９５ｗｔ％になるように調整した材料をリボンミキサー、タンブラーミキサー、ヘンシェルミキサーなどを用いてドライブレンドし、単軸押出機、二軸押出機などの押出機、バンバリーなどの混練機を用いて、融点以上２８０℃以下、好ましくは２６０℃以下で混練することで得られる。
【００３９】
乾燥剤としては水分を吸収する能力を有するシリカゲル、塩化カルシウム、ゼオライト、生石灰、酸化アルミニウム、硫酸マグネシウムや、焼き明礬などであるが、好ましくは、吸収能力や吸収速度などの加工性から生石灰が良い。
【００４０】
乾燥剤とポリオレフィン樹脂を配合した混合樹脂には、分散剤としてポリオレフィン系ワックスなど、乾燥剤の表面処理剤として脂肪酸として分岐脂肪酸、環状脂肪酸、ヒドロキシル脂肪酸など、任意で添加剤を使用することができる。
【００４１】
フィルムの厚み、内部の層構成、乾燥剤の配合量は、目的とする水分吸収能力や製膜加工のしやすさなどから、適宜、設定すればよい。水分吸収機能を付与したシーラントフィルムは、包材の加工性から、好ましくは約１０〜１００μｍの厚み範囲がよく、インフレーション製膜、Ｔダイキャスト製膜等の各種製膜法により得られるが、これに限定されるものではない。
【００４２】
層構成としては、加工性、衛生性の点から最内層に乾燥剤が練り込まれた層がないことが好ましく、３層以上の共押しフィルムの中間層に設定することが好ましい。外装に充填された検査用チップ収納体１が外装内で動かないようにするため、外装に用いる包装材料４を検査用チップ収納体１の形状に合わせて成型することができる。
【００４３】
包装材料４の成型方法は真空・圧空成形、プレス成型などの各種成形法に制限はないが、検査用チップ収納体１を装填する充填機内で熱プレスにて成型することが好ましい。包装材料４の成型形態としては、検査用チップ収納体１の円筒状容器を２つに切ったような、断面が半円状の溝を上下２枚の包装材料４にそれぞれ形成して、下方の包装材料４に円筒状容器を装填し、その後、上方の包装材料４をかぶせ、熱圧着し、密封することで製造することが可能である。
【００４４】
チップ２を装填した円筒状容器３からなる検査用チップ収納体１を充填した包装材料４には、検査用チップ収納体１の円筒の端部で包装材料４が開封できるように包装材料４にミシン目加工などの易カット加工を施すことも好ましい。
【実施例】
【００４５】
以下、本発明の具体的実施例について説明する。
【００４６】
＜チップ２＞
外径１０ｍｍで、長さ１５ｍｍの中空の円筒形状チップをポリプロピレンにて作成した。
【００４７】
＜円筒状容器３＞
（Ａ）外径１１．５ｍｍ、内径１０．５ｍｍで、長さ１５ｍｍの中空の円筒状容器３をポリプロピレンにて作成した。
（Ｂ）形状は（Ａ）と同じ中空の円筒状容器３で、ポリプロピレンの単体樹脂ではなく、生石灰を５０ｗｔ％配合したポリエチレンの混合樹脂で作成した。
【００４８】
＜包装材料４＞
（ａ−１）ＰＥＴ５０μｍとアルミニウム箔３０μmとＬＬＤＰＥ６０μmを、この順にそれぞれドライラミネート接着剤を介して積層した包装材料を用いた。
（ａ−２）ａ−１に用いた包装材料２枚をそれぞれ、熱プレスにて、円筒状容器を２つに切ったような断面が半円状の溝を上下２枚の包装材料にそれぞれ形成して用いた。
（ｂ−１）ａ−１に用いた包装材料のＬＬＤＰＥ６０μmを、生石灰５０ｗｔ％を配合したＬＬＤＰＥ６０μmに変え、その他は、ａ−１と同様の包装材料を用いた。
（ｂ−２）ｂ−１に用いた包装材料２枚をそれぞれ、熱プレスにて、円筒状容器を２つに切った、断面が半円状の溝を上下２枚の包装材料にそれぞれ形成して用いた。
尚、水蒸気透過度は、いずれの外装容器も０．１ｇ／ｍ２／ｄａｙ以下である。
【００４９】
＜実施例１＞
チップ２を（Ａ）の円筒状容器３に装填し、（ａ−１）の包装材料４で４方シールにて密封した。
【００５０】
＜実施例２＞
チップ２を（Ａ）の円筒状容器３に装填し、（ａ−２）の包装材料４で全面圧着シールにて密封した。
【００５１】
＜実施例３＞
チップ２を（Ｂ）の円筒状容器３に装填し、（ａ−１）の包装材料４で４方シールにて密
封した。
【００５２】
＜実施例４＞
チップ２を（Ｂ）の円筒状容器３に装填し、（ａ−２）の包装材料４で全面圧着シールにて密封した。
【００５３】
＜実施例５＞
チップ２を（Ａ）の円筒状容器３に装填し、（ｂ−１）の包装材料４で４方シールにて密封した。
【００５４】
＜実施例６＞
チップ２を（Ａ）の円筒状容器３に装填し、（ｂ−２）の包装材料４で全面圧着シールにて密封した。
【００５５】
＜実施例７＞
チップ２を（Ｂ）の円筒状容器３に装填し、（ｂ−１）の包装材料４で４方シールにて密封した。
【００５６】
＜実施例８＞
チップ２を（Ｂ）の円筒状容器３に装填し、（ｂ−２）の包装材料４で全面圧着シールにて密封した。
【００５７】
以下に、本発明の比較例について説明する。
【００５８】
＜比較例１＞
チップ２をポリプロピレン製のカップ状容器（Ｃ）に入れ、開放面をアルミニウム箔３０μｍに、ヒートシール剤として、ホットメルト樹脂を塗布した、蓋材で密封した。
【００５９】
＜比較例２＞
チップ２を直接、（ａ−１）の包装材料４で４方シールにて密封した。
【００６０】
＜評価項目＞
・評価項目１：チップ２を手で触れずに、検査機本体のセットできるのか、実際に試した。
手に触れずに、セットできたものを○とし、手に触れてしまったものを×とした。
・評価項目２：包装材料４の外装内に濾紙３ｇ入れ、６０℃７５％、６ヶ月保存し、濾紙の重量増加を確認した。
重量増加がないものを○として、重量増加のあるものを×とした。
・評価項目３：ゆすってみて、外装内で検査用チップ収納体１の位置がずれるか否かを目視で確認した。
位置ズレの無いものを○とし、位置ズレのあるものを△とした。
【００６１】
評価結果を表１にまとめた。
【００６２】
【表１】
0005810480.tif 000002
＜比較結果＞
本発明の実施例は、評価項目１及び評価項目２についてはいずれも良好な結果であった。また、評価項目３の検査用チップ収納体１の位置ずれについては、熱プレスにて、円筒状容器を２つに切ったような断面が半円状の溝を設けた、上下２枚の包装材料４で包装したものについては、位置ずれを起こさなかった。
【００６３】
一方、比較例１は外装の包装材料４を使用せず、チップ２をポリプロピレン製のカップ状容器に入れ、開放面をアルミニウム箔３０μｍに、ヒートシール剤として、ホットメルト樹脂を塗布した、蓋材で密封したものであるが、濾紙の重量増加が認められ、水蒸気バリアが不十分であった。
【００６４】
また、比較例２は円筒状容器３を用いずに、直接、チップ２を包装材料４で包装したものであるが、検査機本体にセットするには、手で触れずに行うことはできなかった。
【００６５】
なお、本発明で用いる円筒状容器３のポリオレフィン樹脂には、シリカゲル、塩化カルシウム、ゼオライト、生石灰、酸化アルミニウム、硫酸マグネシウム、焼き明礬の混合成分からなる乾燥剤を重量比で５％以上、７０％以下の混合比で練り込んだポリオレフィン樹脂の混合樹脂を用いることもできる。
【符号の説明】
【００６６】
１・・・検査用チップ収納体
２・・・チップ（試験紙を内蔵する成分測定用容器）
３・・・円筒状容器
４・・・包装材料
５・・・チップ収納体包装体
【図１】
0005810480.tif 000003
【図２】
0005810480.tif 000004
【図３】
0005810480.tif 000005